(57)【特許請求の範囲】
【請求項１】
無線通信において実施可能な方法であって、
第１の送信パターンと第２の送信パターンとを決定することを備え、
単一周波数ネットワーク（ＳＦＮ）送信が送信される場合に、前記第１の送信パターンは、基準信号のために使用するシンボルおよびトーンを示し、ＳＦＮ送信が送信されない場合に、前記第２の送信パターンは、基準信号のために使用するシンボルおよびトーンを示し、
前記方法はさらに、
データのＳＦＮ送信が前記サブ・フレームで送信されるかに依存して、前記第１の送信パターンと前記第２の送信パターンとを備える複数の送信パターンの中から、サブ・フレームにおいて使用するための送信パターンを選択することと、
前記選択された送信パターンを使用する前に、前記選択された送信パターンに関する情報をブロードキャストすることと
を備える方法。
【請求項２】
前記第１の送信パターンと前記第２の送信パターンとを決定することは、前記第１の送信パターンおよび第２の送信パターンに関する情報を受信することを備える請求項１に記載の方法。
【請求項３】
前記第１の送信パターンおよび第２の送信パターンを使用する前に、前記第１の送信パターンおよび第２の送信パターンに関する情報をブロードキャストすることをさらに備える請求項１に記載の方法。
【請求項４】
ＳＦＮ送信スキームを用いてデータを送信するために割り当てられたサブ・フレーム内のトーンの場所を備える第３の送信パターンを決定することをさらに備える請求項１に記載の方法。
【請求項５】
前記第３の送信パターンに関する情報をブロードキャストすることをさらに備える請求項４に記載の方法。
【請求項６】
前記サブ・フレームでＳＦＮ送信が送信されるのであれば、前記第１の送信パターンを選択することをさらに備える請求項１に記載の方法。
【請求項７】
前記第１の送信パターンおよび第２の送信パターンを決定することは、前記第１の送信パターンと第２の送信パターンとのためのパラメータを受信することを備える請求項１に記載の方法。
【請求項８】
前記サブ・フレームは、ＳＦＮ送信のために割り当てられ、前記情報をブロードキャストすることは、ＳＦＮ送信のために使用されるサブ・フレームの時間および周波数におけるリソース・ブロックの場所情報と、前記ＳＦＮ送信のために割り当てられたサブ・フレームの時間における場所とを送信することを備える請求項１に記載の方法。
【請求項９】
前記サブ・フレームは、ＳＦＮ送信のために割り当てられ、前記情報をブロードキャストすることは、前記ＳＦＮ送信のために割り当てられたサブ・フレームの時間における場所を送信することを備える請求項１に記載の方法。
【請求項１０】
前記第１の送信パターンを決定することは、前記第１の送信パターンのパラメータを受信することを備える請求項１に記載の方法。
【請求項１１】
送信パターンを選択することは、複数の送信パターンから、前記第１の送信パターンを選択することを備える請求項１に記載の方法。
【請求項１２】
前記第１の送信パターンを選択することは、サブ・フレームの全てのシンボルが、ＳＦＮ送信のデータ・トーンを含む場合に、前記第１の送信パターンを選択することを備える請求項１１に記載の方法。
【請求項１３】
前記第１の送信パターンを選択することは、隣接していない基準信号について１または複数のトーンを有する前記第１の送信パターンを選択することを備える請求項１１に記載の方法。
【請求項１４】
前記第１の送信パターンを選択することは、隣接している基準信号について１または複数のトーンを有する前記第１の送信パターンを選択することを備える請求項１１に記載の方法。
【請求項１５】
データのためのＳＦＮ送信を送信するとのインジケーションを受信することをさらに備える請求項１に記載の方法。
【請求項１６】
送信パターンを選択することは、ＳＦＮ送信スキームにしたがって、データを送信するために割り当てられたトーンを有する前記第１の送信パターンを選択することを備える請求項１に記載の方法。
【請求項１７】
データの単一周波数ネットワーク（ＳＦＮ）送信が生じる場合、サブ・フレームの時間における場所を判定することと、
前記第１の送信パターンを使用する前に、前記第１の送信パターンに関する情報をブロードキャストすることと
をさらに備える請求項１に記載の方法。
【請求項１８】
前記データのＳＦＮ送信が生じる場合の前記サブ・フレームの時間における場所と、前記第１の送信パターンに関する情報とを受信することをさらに備える請求項１７に記載の方法。
【請求項１９】
ＳＦＮ送信スキームを用いて、データを送信するために割り当てられたサブ・フレーム内のトーンの場所を備えるＳＦＮ送信パターンを決定することをさらに備える請求項１７に記載の方法。
【請求項２０】
前記ＳＦＮ送信パターンを使用する前に、前記ＳＦＮ送信パターンに関する情報をブロードキャストすることをさらに備える請求項１９に記載の方法。
【請求項２１】
前記ＳＦＮ送信パターンに関する情報をブロードキャストすることは、前記データのＳＦＮ送信を送信するために使用されるサブ・フレームの１または複数のリソース・ブロックに関する時間および周波数における場所情報を送信することを備える請求項２０に記載の方法。
【請求項２２】
単一周波数ネットワーク（ＳＦＮ）送信スキームにしたがって、データのセットを送信するためのトーンを備える第３の送信パターンを使用することをさらに備える請求項１に記載の方法。
【請求項２３】
データのＳＦＮ送信が生じる場合におけるサブ・フレームの時間における場所と、前記第３の送信パターンに関する情報とを受信することをさらに備える請求項２２に記載の方法。
【請求項２４】
前記第３の送信パターンを使用するサブ・フレームを指定することをさらに備える請求項２２に記載の方法。
【請求項２５】
１または複数の送信パターンから、前記第３の送信パターンを選択することをさらに備える請求項２２に記載の方法。
【請求項２６】
前記ＳＦＮ送信スキームにしたがって、データを送信するために割り当てられたトーンを有する前記第３の送信パターンを選択することをさらに備える請求項２２に記載の方法。
【請求項２７】
無線通信において実施可能な装置であって、
第１の送信パターンと第２の送信パターンとを決定する手段を備え、
単一周波数ネットワーク（ＳＦＮ）送信が送信される場合に、前記第１の送信パターンは、基準信号のために使用するシンボルおよびトーンを示し、ＳＦＮ送信が送信されない場合に、前記第２の送信パターンは、基準信号のために使用するシンボルおよびトーンを示し、
前記装置はさらに、
データのＳＦＮ送信が前記サブ・フレームで送信されるかに依存して、前記第１の送信パターンと前記第２の送信パターンとを備える複数の送信パターンの中から、サブ・フレームにおいて使用するための送信パターンを選択する手段と、
前記選択された送信パターンを使用する前に、前記選択された送信パターンに関する情報をブロードキャストする手段と
を備える装置。
【請求項２８】
前記第１の送信パターンと前記第２の送信パターンとを決定する手段は、第１の送信パターンおよび第２の送信パターンに関する情報を受信する手段を備える請求項２７に記載の装置。
【請求項２９】
第１の送信パターンおよび第２の送信パターンを使用する前に、前記第１の送信パターンおよび第２の送信パターンに関する情報をブロードキャストする手段をさらに備える請求項２７に記載の装置。
【請求項３０】
ＳＦＮ送信スキームを用いてデータを送信するために割り当てられたサブ・フレーム内のトーンの場所を備える第３の送信パターンを決定する手段をさらに備える請求項２７に記載の装置。
【請求項３１】
前記第３の送信パターンに関する情報をブロードキャストする手段をさらに備える請求項３０に記載の装置。
【請求項３２】
前記サブ・フレームでＳＦＮ送信が送信されるのであれば、前記第１の送信パターンを選択する手段をさらに備える請求項２７に記載の装置。
【請求項３３】
前記第１の送信パターンおよび第２の送信パターンを決定する手段は、前記第１の送信パターンと第２の送信パターンとのためのパラメータを受信する手段を備える請求項２７に記載の装置。
【請求項３４】
前記サブ・フレームは、ＳＦＮ送信のために割り当てられ、前記情報をブロードキャストする手段は、前記ＳＦＮ送信のために使用されるサブ・フレームの時間および周波数におけるリソース・ブロックの場所情報と、前記ＳＦＮ送信のために割り当てられたサブ・フレームの時間における場所とを送信する手段を備える請求項２７に記載の装置。
【請求項３５】
前記サブ・フレームは、ＳＦＮ送信のために割り当てられ、前記情報をブロードキャストする手段は、前記ＳＦＮ送信のために割り当てられたサブ・フレームの時間における場所を送信する手段を備える請求項２７に記載の装置。
【請求項３６】
前記第１の送信パターンを決定する手段は、前記第１の送信パターンのパラメータを受信する手段を備える請求項２７に記載の装置。
【請求項３７】
送信パターンを選択する手段は、複数の送信パターンから、前記第１の送信パターンを選択する手段を備える請求項２７に記載の装置。
【請求項３８】
前記第１の送信パターンを選択する手段は、サブ・フレームの全てのシンボルが、ＳＦＮ送信のデータ・トーンを含む場合に、前記第１の送信パターンを選択する手段を備える請求項３７に記載の装置。
【請求項３９】
前記第１の送信パターンを選択する手段は、隣接していない基準信号について１または複数のトーンを有する前記第１の送信パターンを選択する手段を備える請求項３７に記載の装置。
【請求項４０】
前記第１の送信パターンを選択する手段は、隣接している基準信号について１または複数のトーンを有する前記第１の送信パターンを選択する手段を備える請求項３７に記載の装置。
【請求項４１】
データのためのＳＦＮ送信を送信するとのインジケーションを受信する手段をさらに備える請求項２７に記載の装置。
【請求項４２】
送信パターンを選択する手段は、ＳＦＮ送信スキームにしたがって、データを送信するために割り当てられたトーンを有する第１の送信パターンを選択する手段を備える請求項２７に記載の装置。
【請求項４３】
データの単一周波数ネットワーク（ＳＦＮ）送信が生じる場合、サブ・フレームの時間における場所を判定する手段と、
前記第１の送信パターンを使用する前に、前記第１の送信パターンに関する情報をブロードキャストする手段をさらに備える請求項２７に記載の装置。
【請求項４４】
前記データのＳＦＮ送信が生じる場合の前記サブ・フレームの時間における場所と、前記第１の送信パターンに関する情報とを受信する手段をさらに備える請求項４３に記載の装置。
【請求項４５】
ＳＦＮ送信スキームを用いて、データを送信するために割り当てられたサブ・フレーム内のトーンの場所を備えるＳＦＮ送信パターンを決定する手段をさらに備える請求項４３に記載の装置。
【請求項４６】
前記ＳＦＮ送信パターンを使用する前に、前記ＳＦＮ送信パターンに関する情報をブロードキャストする手段をさらに備える請求項４５に記載の装置。
【請求項４７】
前記ＳＦＮ送信パターンに関する情報をブロードキャストする手段は、前記データのＳＦＮ送信を送信するために使用されるサブ・フレームの１または複数のリソース・ブロックに関する時間および周波数における場所情報を送信する手段を備える請求項４６に記載の装置。
【請求項４８】
単一周波数ネットワーク（ＳＦＮ）送信スキームにしたがって、データのセットを送信するためのトーンを備える第３の送信パターンを使用する手段をさらに備える請求項２７に記載の装置。
【請求項４９】
データのＳＦＮ送信が生じる場合におけるサブ・フレームの時間における場所と、前記第３の送信パターンに関する情報とを受信する手段をさらに備える請求項４８に記載の装置。
【請求項５０】
前記第３の送信パターンを使用するサブ・フレームを指定する手段をさらに備える請求項４８に記載の装置。
【請求項５１】
１または複数の送信パターンから、前記第３の送信パターンを選択する手段をさらに備える請求項４８に記載の装置。
【請求項５２】
前記ＳＦＮ送信スキームにしたがって、データを送信するために割り当てられたトーンを有する第３の送信パターンを選択する手段をさらに備える請求項４８に記載の装置。
【請求項５３】
コンピュータ読取可能記憶媒体であって、
第１の送信パターンと第２の送信パターンとを、少なくとも１つのコンピュータに対して決定させるコードと
を備えたコンピュータ・プログラムを有し、
前記第１の送信パターンは、単一周波数ネットワーク（ＳＦＮ）送信が送信される場合に、基準信号のために使用するシンボルおよびトーンを示し、ＳＦＮ送信が送信されない場合に、前記第２の送信パターンは、基準信号のために使用するシンボルおよびトーンを示し、
前記コンピュータ・プログラムはさらに、
データのＳＦＮ送信が前記サブ・フレームで送信されるかに依存して、前記第１の送信パターンと前記第２の送信パターンとを備える複数の送信パターンの中から、サブ・フレームにおいて使用するための送信パターンを、前記少なくとも１つのコンピュータに対して選択させるコードと、
前記選択された送信パターンを使用する前に、前記選択された送信パターンに関する情報を、前記少なくとも１つのコンピュータに対してブロードキャストさせるコードと
を備えるコンピュータ読取可能記憶媒体。
【請求項５４】
無線通信において実施可能な装置であって、
第１の送信パターンと第２の送信パターンとを決定するように構成された少なくとも１つのプロセッサを備え、
単一周波数ネットワーク（ＳＦＮ）送信が送信される場合に、前記第１の送信パターンは、基準信号のために使用するシンボルおよびトーンを示し、ＳＦＮ送信が送信されない場合に、前記第２の送信パターンは、基準信号のために使用するシンボルおよびトーンを示し、
前記少なくとも１つのプロセッサはさらに、データのＳＦＮ送信が前記サブ・フレームで送信されるかに依存して、前記第１の送信パターンと前記第２の送信パターンとを備える複数の送信パターンの中から、サブ・フレームにおいて使用するための送信パターンを選択し、前記選択された送信パターンを使用する前に、前記選択された送信パターンに関する情報をブロードキャストするように構成された装置。
【請求項５５】
前記少なくとも１つのプロセッサは、
データの単一周波数ネットワーク（ＳＦＮ）送信が生じる場合、サブ・フレームの時間における場所を判定し、
前記第１の送信パターンを使用する前に、前記第１の送信パターンに関する情報をブロードキャストするようにさらに構成された請求項５４に記載の装置。
【発明の詳細な説明】
【関連出願】
【０００１】
本願は、２００６年８月２１日に出願され"METHOD AND APPARATUS FOR FLEXIBLE PILOT PATTERN"と題された米国仮特許出願６０／８３９，３５７号の利益を主張する。前述の出願の全体は、参照によって本明細書に組み込まれる。
【技術分野】
【０００２】
以下の説明は、一般に、無線通信に関し、特に、直交周波数分割多重化（ＯＦＤＭ）システムにおいてフレキシブルなパイロット・パターンを有するメカニズムを提供することに関する。
【背景技術】
【０００３】
無線通信システムは、例えば、音声、データ等のような様々なタイプの通信コンテンツを提供するために広く用いられる。一般的な無線通信システムは、利用可能なシステム・リソース（例えば、帯域幅、送信電力等）を共有することにより、複数のユーザとの通信をサポートすることができる。そのような多元接続システムの一例は、符号分割多元接続（ＣＤＭＡ）システム、時分割多元接続（ＴＤＭＡ）システム、周波数分割多元接続（ＦＤＭＡ）システム、３ＧＰＰ  ＬＴＥシステム、直交周波数分割多重化（ＯＦＤＭ）システム、ローカル周波数分割多重化（ＬＦＤＭ）システム、直交周波数分割多元接続（ＯＦＤＭＡ）システム、および同種のものを含みうる。
【０００４】
無線通信システムでは、ノードＢ（あるいは基地局）が、データをユーザ機器（ＵＥ）へダウンリンクで送信したり、データをＵＥからアップリンクで受信する。ダウンリンク（または順方向リンク）は、ノードＢからＵＥへの通信リンクを称し、アップリンク（または逆方向リンク）は、ＵＥからノードＢへの通信リンクを称する。また、ノードＢは、制御信号（例えば、システム・リソースの割り当て）をＵＥに送ることができる。同様に、ＵＥは、ダウンリンクでのデータ送信をサポートするために、あるいはその他の目的のために、ノードＢに制御情報を送ることができる。
【０００５】
当該技術システム内で動作している複数のＵＥに、ノードＢが送信する当該技術システムの状態では、マルチキャスト／ブロードキャスト送信モードが使用される。マルチキャスト／ブロードキャスト（ポイント・トゥ・マルチポイント）送信を単一周波数ネットワーク（ＳＦＮ）として実行し、ＳＦＮ送信によって提供されるより高くエンハンスされたデータ・レートを利用することが可能だろう。ＳＦＮによって、１または複数の近隣セルが、ダウンリンク内で、同じサブ・チャネルで同じコンテンツを送信することが可能となる。しかしながら、その他の非データ情報が送信される必要がある場合、帯域幅全体がダウンリンクで使用されているのであれば、ＳＦＮは効率的ではないかもしれない。
【発明の概要】
【０００６】
以下は、１または複数の実施形態の基本的な理解を提供するために、そのような実施形態の簡略化した概要を表す。本概要は、考慮された全ての実施形態の広範な全体ではなく、全ての実施形態のうちの重要または決定的な要素を特定することも、何れかまたは全ての実施形態の範囲を線引きすることも意図されていない。その唯一の目的は、後に示される更なる詳細記述に対する前兆として、１または複数の実施形態のうちの幾つかの概念を、簡単な形式で表すことである。
【０００７】
局面にしたがって、無線通信システムのための方法は、データのＳＦＮ送信が生じる場合に、サブ・フレームの、時間における場所を判定することと、基準信号のための第１の送信パターンおよび第２の送信パターンを決定することとを含む。ここで、送信パターンは、基準信号のために使用されるサブ・フレームのトーンおよびシンボルを示す。この方法はさらに、ＳＦＮデータがサブ・フレームで送信されるかに基づいて、基準信号のために、第１の送信パターンを使用するか、第２の送信パターンを使用するかを選択することと、選択された送信パターンを使用する前に、選択された送信パターンに関する情報をブロードキャストすることとを含む。
【０００８】
局面にしたがって、無線通信システムのための方法は、データのＳＦＮ送信が生じる場合に、サブ・フレームの、時間における場所を判定することと、基準信号の送信のために第１の送信パターンを決定することを含む。ここで、第１の送信パターンは、基準信号を送信するために割り当てられたサブ・フレーム内のシンボルの場所とトーンの場所とを備える。この方法はさらに、第１の送信パターンを使用する前に、第１の送信パターンに関する情報をブロードキャストすることを含む。
【０００９】
局面にしたがうと、無線通信システムのための方法は、第１の送信パターンを使用することを含む。ここで、第１の送信パターンは、単一周波数ネットワーク（ＳＦＮ）送信スキームにしたがってデータのセットを送信するトーンを備える。この方法はまた、第２の送信パターンを使用することを含む。ここで、第２の送信パターンは、基準信号を送信するためのトーンを備える。この方法はさらに、第１の送信パターンと第２の送信パターンとを使用する前に、それらに関する情報をブロードキャストすることを含む。
【００１０】
局面にしたがうと、無線通信システムのための方法は、データのＳＦＮ送信が生じる場合に、サブ・フレームの、時間における場所を受信することと、第１の送信パターンに関する情報を受信することとを含む。この情報は、単一周波数ネットワーク（ＳＦＮ）送信スキームにしたがって、データのセットを送信するために使用される少なくとも１つのリソース・ブロックの周波数および時間における場所情報を備える。
【００１１】
局面にしたがうと、無線通信システムのための方法は、データのＳＦＮ送信が生じる場合に、サブ・フレームの、時間における場所を受信することと、第１の送信パターンに関する情報を受信することとを含む。この情報は、基準信号を送信するために使用される少なくとも１つのリソース・ブロックの周波数および時間における場所情報を備える。
【００１２】
上述したおよび関連する目標を達成するために、１または複数の実施形態は、以下に完全に記述され、特に特許請求の範囲で指摘されている特徴を備える。以下の説明および添付図面は、１または複数の実施形態のある実例となる局面を詳細に述べている。しかしながら、これら局面は、様々な実施形態の原理が適用されそのような全ての局面および均等物を含むことが意図されている様々な方法のうち、ごく僅かしか示していない。
【図面の簡単な説明】
【００１３】
【図１】図１は、本明細書で述べる様々な局面にしたがった無線通信システムを例示する。
【図２】図２は、無線通信環境で適用される通信装置の一例を示す。
【図３】図３は、セル特有のパイロット送信パターンを例示する。
【図４】図４は、ＳＦＮ送信を有する送信パターンを例示する。
【図５】図５は、サブ・フレームの各シンボルにＳＦＮ送信を有する送信パターンを例示する。
【図６】図６は、様々なダウンリンク送信を使用するフレーム構造を例示する。
【図７】図７は、選択されたＤＬ  ＴＸパターンの表示をブロードキャストすることを容易にする方法論のサンプルを例示する。
【図８】図８は、選択されたＤＬ  ＴＸパターンの表示を受信することを容易にする方法論のサンプルを例示する。
【図９】図９は、通信ネットワークにフィードバックを提供する典型的なアクセス端末を示す。
【図１０】図１０は、本明細書に記載された無線ネットワーク環境と共に適用される典型的な基地局を例示する。
【図１１】図１１は、１または複数の局面にしたがって無線通信環境へフィードバックを提供することを容易にする典型的なシステムを示す。
【図１２】図１２は、１または複数の局面にしたがってフレキシブルな送信パターン技術を使用することを容易にする典型的なシステムを示す。
【図１３】図１３は、１または複数の局面にしたがってフレキシブルな送信パターン技術を使用することを容易にする典型的なシステムを示す。
【図１４】図１４は、１または複数の局面にしたがってフレキシブルな送信パターン技術を使用することを容易にする典型的なシステムを示す。
【図１５】図１５は、１または複数の局面にしたがってフレキシブルな送信パターン技術を使用することを容易にする典型的なシステムを示す。
【発明を実施するための形態】
【００１４】
ここでは、様々な局面が、同一の参照番号が、全体を通じて同一の要素を参照するために使用される図面を参照して説明される。以下の説明では、説明の目的のために、１または複数の局面の完全な理解を提供するために、多くの具体的な詳細が記述される。しかしながら、そのような局面は、これら具体的な詳細なしで実現されることが明白である。他の事例では、周知の構成およびデバイスが、１または複数の局面の記載を容易にするために、ブロック図形式で示される。
【００１５】
さらに、本開示の様々な局面が、下記に述べられる。本明細書の教示は、様々な形式で具体化され、本明細書で開示された具体的な構成および／または機能は単なる代表例であることが明白であるべきである。本明細書に記載の教示に基づいて、当業者は、本明細書に開示の局面が、その他幾つかの局面とは独立して実施され、これらの局面のうちの２またはそれ以上が、様々な方式で結合されうることを理解すべきである。例えば、本明細書に記載された局面の任意の数を用いて装置が実施され、方法が実現されうる。さらに、本明細書に記載の局面のうちの１または複数に加えられたその他の構成および／または機能や、本明細書に記載の局面のうちの１または複数とは異なるその他の構成および／または機能を用いて装置が実施され、方法が実現されうる。一例として、本明細書に記載の方法、デバイス、システム、および装置の多くが、ＳＦＮデータの、同期が図られた送信や再送信を提供するアド・ホックまたは無計画／半計画（unplanned/semi-planned）無線通信環境の文脈で記述されうる。当業者であれば、類似技術が、その他の通信環境にも適用可能であることを理解すべきである。
【００１６】
本願で用いられるように、用語「構成要素」、「システム」等は、ハードウェア、ソフトウェア、実行中のソフトウェア、ファームウェア、ミドルウェア、マイクロコード、および／またはこれら任意の組み合わせの何れかである。例えば、構成要素は、限定される訳ではないが、プロセッサで実行中のプロセス、プロセッサ、オブジェクト、実行形式、実行スレッド、プログラム、および／またはコンピュータでありうる。１または複数の構成要素は、プロセス、および／または実行スレッド内に存在し、構成要素は、１つのコンピュータに局在化されるか、および／または、２またはそれ以上のコンピュータに分散されうる。さらに、これら構成要素は、様々なデータ構成を格納した様々なコンピュータ読取可能媒体から実行することが可能である。これら構成要素は、例えば１または複数のデータ（例えば、ローカル・システム内、分散システム内の別の構成要素とインタラクトする１つの構成要素からのデータ、および／または、信号によって例えばインターネットのようなネットワークを介して他のシステムとインタラクトする１つの構成要素からのデータ）パケットを有する信号にしたがってローカル処理および／または遠隔処理によって通信することができる。さらに、本明細書に記載のシステムの構成要素は、当業者によって認識されるように、それらに関して記載された様々な局面、目標、利点等を達成することを容易にするために、追加の構成要素によって再構成および／または補完され、与えられた図面に記載された正確な構成に限定されない。
【００１７】
さらに、さまざまな局面が、本明細書において、加入者局に関連して記載される。加入者局はまた、システム、加入者ユニット、移動局、モバイル、遠隔局、遠隔端末、アクセス端末、ユーザ端末、ユーザ・エージェント、ユーザ・デバイス、あるいはユーザ機器と称されうる。加入者局は、セルラ電話、コードレス電話、セッション開始プロトコル（ＳＩＰ）電話、ワイヤレス・ローカル・ループ（ＷＬＬ）局、携帯情報端末（ＰＤＡ）、無線接続機能を有する携帯デバイス、あるいは、処理デバイスとの無線通信を容易にする無線モデムまたは同様のメカニズムに接続されたその他の処理デバイスでありうる。
【００１８】
さらに、本明細書に記載の様々な局面または機能は、標準的なプログラミング技術および／またはエンジニアリング技術を用いた方法、装置、および製造物品として実施されうる。用語「製造物品」は、コンピュータ読取可能デバイス、キャリア、またはメディアからアクセス可能なコンピュータ・プログラムを包含するように意図される。例えば、コンピュータ読取可能媒体は、限定される訳ではないが、磁気記憶デバイス（例えば、ハード・ディスク、フロッピィ（登録商標）ディスク、磁気ストライプ等、光ディスク（例えば、コンパクト・ディスク（ＣＤ）、ＤＶＤ等）、スマート・カード、およびフラッシュ・メモリ・デバイス（例えば、カード、スティック、キー・ドライブ等）を含む。さらに、本明細書に記載された様々な記憶媒体は、１または複数のデバイス、および／または、情報を格納するためのその他の機械読取可能媒体を表すことができる。用語「機械読取可能媒体」は、限定される訳ではないが、無線チャネル、および、命令群および／またはデータを格納、包含、および／または搬送することが可能なその他様々な媒体を含みうる。
【００１９】
さらに、用語「典型的」は、本明細書において、例、事例、または例示として役立つことを意味するために使用される。本明細書で「典型的」と記載される設計の任意の局面は、必ずしも、その他の局面または設計よりも好適であるとか有利であると解釈される必要はない。むしろ、これら用語の使用は典型的には、具体的な方法で本概念を示すことが意図される。本明細書で使用されるように、用語「または」は、排他的な「または」ではなく、包括的な「または」を意味することが意図される。すなわち、もしも特に指定されていないか、あるいは、文脈から明らかなように、「ＸはＡまたはＢを適用する」は、普通の包括的な順序のうちの何れかを意味することが意図されている。すなわち、ＸがＡを適用するか、ＸがＢを適用するか、ＸがＡとＢとの両方を適用すれば、前述の例のうちの何れかの下で、「ＸがＡまたはＢを適用する」が満足される。さらに、本明細書および特許請求の範囲で使用される冠詞「ａ」および「ａｎ」は、一般に、特に指定されていないか、単数を示すものであることが文脈から明らかではない場合、「１または複数」を意味すると解釈されるべきである。
【００２０】
本明細書に記載されるように、「推論する」または「推論」なる用語は、一般に、イベントおよび／またはデータを介してキャプチャされた観察のセットからの、システム、環境、および／またはユーザに関する推論または推論処理を称する。推測は、特定のコンテキストまたは動作を特定するために適用されるか、あるいは、例えば、状態にわたった確率分布を生成することができる。推測は、データおよびイベントの考慮に基づく興味のある状態にわたった確率分布の計算のように、確率論的でありうる。推測はまた、イベントおよび／またはデータのセットからの高レベル・イベントを構成するために適用される技術をも称しうる。そのような推測によって、観察されたイベントが、時間的に近接して相関付けられていようといまいと、観察されたイベントおよびデータが、１または幾つかのイベントおよびデータ・ソースから由来していようといまいと、観察されたイベントおよび／または格納されたイベント・データのセットから、新たなイベントまたは動作が構築される。
【００２１】
本明細書に記載の技術は、例えば、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、単一キャリアＦＤＭＡ（ＳＣ−ＦＤＭＡ）ネットワーク等のような様々な無線通信ネットワークに使用されうる。用語「ネットワーク」および「システム」は、しばしば置換可能に使用される。ＣＤＭＡネットワークは、例えばユニバーサル地上ラジオ・アクセス（ＵＴＲＡ）、ｃｄｍａ２０００等のようなラジオ技術を実施することができる。ＵＴＲＡは、広帯域ＣＤＭＡ（Ｗ−ＣＤＭＡ）および低チップ・レート（ＬＣＲ）を含んでいる。ｃｄｍａ２０００は、ＩＳ−２０００規格、ＩＳ−９５規格、およびＩＳ−８５６規格をカバーする。ＴＤＭＡネットワークは、例えば、グローバル移動体通信システム（ＧＳＭ（登録商標））のようなラジオ技術を実施することができる。ＯＦＤＭＡネットワークは、例えばエボルブドＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュＯＦＤＭ等のようなラジオ技術を実施することができる。ＵＴＲＡ、Ｅ−ＵＴＲＡ、およびＧＳＭは、ユニバーサル・モバイル・テレコミュニケーション・システム（ＵＭＴＳ）の一部である。ロング・ターム・エボリューション（ＬＴＥ）、はＥ−ＵＴＲＡを使用するＵＭＴＳの最新のリリースである。ＵＴＲＡ、Ｅ−ＵＴＲＡ、ＧＳＭ、ＵＭＴＳ、およびＬＴＥは、「第３世代パートナシップ計画（３ＧＰＰ）」と命名された組織からの文書に記載されている。ｃｄｍａ２０００は、「第３世代パートナシップ計画２」（３ＧＰＰ２）と命名された組織からの文書に記載されている。これらの様々なラジオ技術および規格は、当技術において周知である。明確にするために、本技術のある局面が、以下ではＬＴＥについて記述され、ＬＴＥ技術は、以下の記載の多くで使用される。
【００２２】
単一キャリア周波数分割多元接続（ＳＣ−ＦＤＭＡ）は、単一キャリア変調と周波数領域等値化を用いる技術である。ＳＣ−ＦＤＭＡは、ＯＦＤＭＡシステムと本質的に同じ複雑さと同程度のパフォーマンスとを有する。ＳＣ−ＦＤＭＡ信号は、その固有の単一キャリア構造により、低いピーク対平均電力比（ＰＡＰＲ）を有する。ＳＣ−ＦＤＭＡは、送信電力効率の観点において、低いＰＡＰＲがモバイル端末に大いに寄与するアップリンク通信において特に、大きな注目を集めた。それは現在、３ＧＰＰロング・ターム・エボリューション（ＬＴＥ）またはエボルブドＵＴＲＡにおけるアップリンク多元接続スキームのために動作していると仮定されている。
【００２３】
図１は、複数の基地局１１０と複数の端末１２０とを備えた無線通信システム１００を例示しており、１または複数の局面と連携して適用されうる。基地局は、一般に、端末と通信する固定局であり、アクセス・ポイント、ノードＢ、またはその他幾つかの技術用語で呼ばれうる。基地局１１０はそれぞれ、１０２ａ、１０２ｂ、および１０２ｃとラベル付けされた３つの地理的領域として例示された特定の地理的領域のために通信有効範囲を提供する。用語「セル」は、その用語が使用される文脈に依存して、基地局および／またはその有効範囲領域を称する。システム容量を改善するために、基地局有効範囲領域は、複数の小さな領域（例えば、図１のセル１０２ａにしたがった３つの小さな領域）１０４ａ、１０４ｂ、および１０４ｃに分割されうる。それぞれの小さな領域は、それぞれの基地トランシーバ・サブシステム（ＢＴＳ）によってサービス提供されうる。用語「セクタ」は、その用語が使用される文脈に依存して、ＢＴＳおよび／またはその有効範囲領域を称する。セクタ化されたセルについて、そのセルの全てのセクタのＢＴＳは一般に、そのセルの基地局内にともに位置する。本明細書に記載の送信技術は、セクタ化されたセルを備えたシステムにも、セクタ化されていないセルを備えたシステムにも使用される。単純化のために、以下の記述では、用語「基地局」は一般的に、セルにサービス提供する固定局のみならず、セクタにサービス提供する固定局のためにも使用される。
【００２４】
端末１２０は一般に、システム全体にわたって分散しており、各端末は、固定式または移動式である。端末はまた、移動局、ユーザ機器、ユーザ・デバイス、あるいはその他の幾つかの用語で呼ばれうる。端末は、無線デバイス、セルラ電話、携帯情報端末（ＰＤＡ）、無線モデム・カード等でありうる。端末１２０はそれぞれ、任意の瞬間において、０、１、または複数の基地局とダウンリンクおよびアップリンクで通信することができる。ダウンリンク（または順方向リンク）は、基地局から端末への通信リンクを称し、アップリンク（または逆方向リンク）は、端末から基地局への通信リンクを称する。
【００２５】
集中化されたアーキテクチャの場合、システム・コントローラ１３０は、基地局１１０に接続しており、この基地局１１０に調整および制御を与える。分散化されたアーキテクチャの場合、基地局１１０は、必要に応じて、互いに通信することができる。順方向リンクのデータ送信は、順方向リンクおよび／または通信システムによってサポートされうる最大データ・レートにおいて、あるいは最大データ・レート近傍において、１つのアクセス・ポイントから１つのアクセス端末へと生じる。順方向リンクの追加チャネル（例えば、制御チャネル）は、複数のアクセス・ポイントから１つのアクセス端末へと送信されうる。逆方向リンク・データ通信は、１つのアクセス端末から１または複数のアクセス・ポイントへと生じる。
【００２６】
図２は、様々な局面にしたがったアド・ホックまたは無計画／半計画（unplanned/semi-planned）無線通信環境２００の例示である。システム２００は、無線通信信号を受信し、互いにおよび／または１または複数のモバイル・デバイス２０４への送信、反復等を行う１または複数のセクタ内に、１または複数の基地局２０２を含むことができる。例示するように、各基地局２０２は、２０６ａ、２０６ｂ、２０６ｃ、および２０６ｄとラベルされた３つの地理的領域として例示されているような特定の地理的領域のための通信有効範囲を提供することができる。各基地局２０２は、送信機チェーンと受信機チェーンとを含む。これらのおのおのは、当業者によって理解されるように、信号の送信および受信に関連付けられた複数の構成要素（例えば、プロセッサ、変調器、マルチプレクサ、アンテナ等）を備えている。モバイル・デバイス２０４は、例えば、セルラ電話、スマート・フォン、ラップトップ、ハンドヘルド通信デバイス、ハンドヘルド計算デバイス、衛星ラジオ、全地球測位システム、ＰＤＡ、および／または、無線ネットワーク２００を介して通信するその他任意の適切なデバイスでありうる。システム２００は、フレキシブルなパイロット・パターンとするために、本明細書に記載の様々な局面とともに適用することができる。
【００２８】
ＬＴＥは、ダウンリンクでは直交周波数分割多重化（ＯＦＤＭ）を適用し、アップリンクでは単一キャリア周波数分割多重化（ＳＣ−ＦＤＭ）を適用する。ＯＦＤＭおよびＳＣ−ＦＤＭは、システム帯域幅を、一般にトーン、値域等とも呼ばれる複数（Ｎ個の）直交サブ・キャリアに分割する。サブ・キャリアはそれぞれ、データを用いて変調されうる。一般に、変調シンボルは、ＯＦＤＭを用いて周波数領域で送られ、ＳＣ−ＦＤＭを用いて時間領域で送られる。ＬＴＥの場合、隣接するサブ・キャリア間の間隔は固定されており、サブ・キャリアの合計数（Ｎ個）は、システム帯域幅に依存しうる。１つの設計では、５ＭＨｚからなるシステム帯域幅のため、１０ＭＨｚからなるシステム帯域幅のため、２０ＭＨｚからなるシステム帯域幅のためである。一般に、Ｎは、任意の整数値でありうる。
【００２９】
ＬＴＥダウンリンク送信スキームは、ラジオ・フレーム（例えば、１０ミリ秒ラジオ・フレーム）によって分割される。フレームはそれぞれ、周波数（例えば、サブ・キャリア）および時間（例えば、ＯＦＤＭシンボル）からなるパターンを備える。１０ミリ秒のラジオ・フレームは、（サブ・フレームまたは時間スロットとも称され、以後、置換可能に使用される）複数の隣接する０．５ミリ秒のサブ・フレームへ分割される。各サブ・フレームは、複数のリソース・ブロックを備えており、各リソース・ブロックは、１または複数のサブ・キャリア、および、１または複数のＯＦＤＭシンボルから構成される。１または複数のリソース・ブロックが、データ、制御情報、パイロット（基準信号とも呼ばれる）、またはそれら任意の組み合わせのために使用されうる。
【００３０】
ＳＦＮおよびセル特有の（例えば、ユニキャストまたはマルチキャスト）スキームの最も有効な使用を達成するために、本明細書では、ダウンリンクでＳＦＮおよびセル特有のパイロットを多重化する別のアプローチが記述される。セル特有のパイロットが、ＦＤＭで送信され、セル特有のスクランブル・コードでスクランブルされる。ＦＤＭ動作を用いることによって、周波数を複数回再使用することが可能となる。ここでは、少数の近隣セルからのパイロット・トーンは、互いに衝突しない。これによって、特に、セル端部におけるチャネル評価値が向上する。
【００３１】
図３は、例にしたがったダウンリンク送信のサブ・フレームのセル特有のパイロット送信パターン３００を例示する。例によれば、セル特有のパイロット・パターンは、時間期間３６０対周波数帯域３６２からなるラジオ・フレームのサブ・フレーム用である。典型的なパイロット・パターンでは、シンボル３０６の全てのトーンが、パイロット情報を送信するために割り当てられる。この例によれば、最大６セルのパイロット送信が、シンボル期間中に、異なるトーンを用いて達成されるので、最大６セルが衝突しないだろう。例えば、セル０パイロット情報は、トーン３０４、３２０および３３２を用いて送信され、セル１パイロット情報は、トーン３１０、３２２、および３３４を用いて送信され、セル２パイロット情報は、トーン３１２、３２４、および３３６を用いて送信され、セル３パイロット情報は、トーン３１４、３２６、および３３８を用いて送信され、セル４パイロット情報は、トーン３１６、３２８、および３４０を用いて送信され、セル５パイロット情報は、トーン３１８、３３０、および３４２を用いて送信される。このパターンは、例えばシンボル期間３５２、３５４のように、幾つかのシンボル期間反復されうる。サブ・フレーム内の残りのトーンのために、送信機は、非パイロット情報を送信することができる。局面によれば、セル０は、データまたはその他の情報（例えば、非パイロット情報）をトーンで送信することができる。ここでセル１、２、３、４、５は、パイロットを送信する。したがって、パイロット・トーンは、低い干渉電力スペクトル密度（ＰＳＤ）と、高い信号対雑音比（ＳＮＲ）を経験する。これによって、チャネル評価値が向上する。システム構成に依存して、それより少ないセルまたはそれより多いセルが、衝突しないように設計されうる。
【００３２】
図４は、局面にしたがったダウンリンク送信のサブ・フレームのために使用されるＳＦＮ送信４００を有する送信パターンを例示する。ここでは、セル特有のパイロットが、同じサブ・フレーム上のＳＦＮデータ（例えば、ＳＦＮ送信スキームを用いて送信されたデータ）を用いて多重化される。例によれば、送信パターンは、時間期間４６０対周波数帯域幅４６２からなるラジオ・フレームのサブ・フレーム用である。典型的なパターンでは、シンボル４０６の全てのトーンが、パイロット情報を送信するために割り当てられる。この例では、互いに衝突しない６つのセルが示されている。これは、パイロット情報を送信するために、各セルにトーンを割り当てることによって達成される。例えば、セル０パイロット情報は、トーン４０４、４２０、および４３２を用いて送信され、セル１パイロット情報は、トーン４１０、４２２、および４３４を用いて送信され、セル２パイロット情報は、トーン４１２、４２４、および４３６を用いて送信され、セル３パイロット情報は、トーン４１４、４２６、および４３８を用いて送信され、セル４パイロット情報は、トーン４１６、４２８、および４４０を用いて送信され、セル５パイロット情報は、トーン４１８、４３０、および４４２を用いて送信される。このパターンは、例えばシンボル期間４５２、４５４のように、幾つかのシンボル期間反復されうる。残りのトーンは、（図４において影で示すように）ＳＦＮ送信のために設計される。局面では、ＳＦＮおよびセル特有の送信が、同じサブ・フレームに多重化される場合、周波数再使用は、セル特有のサブ・フレームについて、複数回なされない。ここでセルは、互いに衝突することは許されない。これは、ＳＦＮ送信の性質による。したがって、この例において、セル０は、ＳＦＮ送信を送ることはできず、セル１、２、３、４、および５が、パイロット情報を送信する。したがって、異なるセルからのパイロットが、互いに衝突することが許されていないのであれば、与えられたセルについて、非パイロット・トーンが、ＳＦＮデータのために使用されない。しかしながら、セル０は、（ヌル・トーン上の周波数再使用パターンが、データ・トーン上の周波数再使用パターンと同一になるように）例えば制御情報、割り当て、ヌル・トーン、または任意の非パイロットおよび非ＳＦＮデータのような他の情報を送信することができる。したがって、セル０の送信パターンは、例えば、トーン４０４、４２０、および４３２のように、衝突を回避するために設計されたセル数に基づいて反復されるパイロット・トーンの送信を備えることができる。送信パターンはさらに、パイロット送信のため他のセルによって使用されるトーンでの非パイロット送信および非ＳＦＮ送信を備えうる。例えば、トーン４１０、４１２、４１４、４１６、４１８、４２２、４２４、４２６、４２８、４３０、４３４、４３６、４３８、４４０および４４２。典型的なサブ・フレームの残りのトーンは、ＳＦＮ送信に使用されるだろう。
【００３３】
図５は、セル特有のパイロットが、同じサブ・フレーム上でＳＦＮデータ（例えば、ＳＦＮ送信スキームを用いて送信されたデータ）を用いて多重化される別の局面にしたがったダウンリンク（ＤＬ）送信（ＴＸ）パターン５００（ＳＦＮ＋ＣＳ送信パターンとも称される）を示す。例によれば、送信パターンは、時間期間５６０対周波数帯域幅５６２から構成されるラジオ・フレームのサブ・フレーム用である。局面によれば、システム内の全てのセルは、パイロット送信、ヌル・トーン、またはこれらの任意の組み合わせのために、（ユニキャストとして示すように）指定されたトーンを使用することが要求される。典型的な送信パターンによれば、サブ・キャリア５０４、５２０、および５３２において、シンボル５０６、５５２、および５５４について定められたリソース・ブロックは、システム内の全てのセルによって、パイロット情報送信のために使用される。別の局面によれば、送信パターン（図示しない）は、パイロット・トーンと衝突しないパイロット・トーンを割り当てるために、その他のセルによって使用されうる。残りのトーンは、コンテンツをＵＥに配信するＳＦＮ送信スキームのために割り当てられる。したがって、各セルのパイロットは、衝突することが許容され、もって、より大きなトーンのセットでのＳＦＮ送信が可能となる。
【００３４】
フレキシブルなパイロット・パターン・スキームの場合、パイロット送信のために指定されたトーンが、周波数、時間、またはこれらの任意の組み合わせにおいて隣接しうる。したがって、局面では、ＳＦＮ＋ＣＳ送信パターンは、周波数において隣接した全てのパイロット・トーンを有している。別の局面では、ＳＦＮ＋ＣＳ送信パターンは、時間において隣接した全てのパイロット・トーンを有している。別の局面では、ＳＦＮ＋ＣＳ送信パターンは、周波数において隣接しており、サブ・フレームの周波数帯域幅の先頭に密集しているセル特有のパイロット送信のために指定された全てのトーンを有している。例えば、全てのパイロット送信トーンが、シンボル５０６、５５２、および５５４について、５７０において隣接している。別の局面では、ＳＦＮ＋ＣＳ送信パターンは、周波数において隣接しており、サブ・フレームの周波数帯域幅の中央に密集しているセル特有のパイロット送信のために指定された全てのトーンを有している。例えば、全てのパイロット送信トーンが、シンボル５０６、５５２、および５５４について、５７２において隣接している。別の局面では、ＳＦＮ＋ＣＳ送信パターンは、周波数において隣接しており、サブ・フレームの周波数帯域幅の末尾に密集しているセル特有のパイロット送信のために指定された全てのトーンを有している。例えば、全てのパイロット送信トーンが、シンボル５０６、５５２、および５５４について、５７４において隣接している。システムに依存して、全てのセルが、周波数および時間において、パイロットの送信を繰り返すのではない。したがって、例えば、セルは、シンボル５０６、５５２、および５５４について、サブ・キャリア５０４によって指定されたトーンで、シンボル期間５５２について、サブ・キャリア５０４、５２０、および５３２でのみ、パイロットを送信することができる。
【００３５】
図６は、システム動作中、上述したダウンリンク送信パターンを使用するフレーム構造６００を示す。局面によれば、セル特有のパイロットが、ＤＬ送信パターンから選択された１または複数のパターンを用いて送信される。例えば、時間期間６０２の間、４つのサブ・フレーム６０４、６０６、６０８、および６１０が送信される。局面では、サブ・フレーム６０４のために、システムは、第１のパターン（例えば、図３に記載されるようなセル特有の複数回の再使用）または第２のパターン（例えば、図５に記載されるようなセル特有＋ＳＦＮ、およびそのパターンの全ての変形）を選択することができる。サブ・フレーム６０６、６０８、および６１０のために、システムは、第１のパターンまたは第２のパターンを使用することができる。したがって、ＳＦＮが存在しないサブ・フレームでは、周波数再使用に対応するセル特有のパイロット・パターンである送信は、１より多い。他のサブ・フレームでは、そのパターンは、１度の周波数再使用に相当する。
【００３６】
各セルは、システムの全ての条件、データ・レート要件、一定のコンテンツが配信されねばならないレート等に基づいて、ダウンリンク送信パターンを選択するメカニズムを備える。ＳＦＮ＋ＣＳ送信パターンの使用は、定期的でありうる。そのような場合、ＳＦＮ＋ＣＳ送信パターンを使用するために選択されたサブ・フレームの割り当ては、各セルにおいて定期的にブロードキャストされる。ＤＬ送信パターンが選択されると、システム内の全てのセルが、選択されたＤＬ送信パターンに関する情報をブロードキャストする（例えば、ブロードキャスト・チャネルを用いてシグナリングする）だろう。これは、ＤＬ送信パターンがセルによって使用される場合、インジケータ（１または複数のビット）とサブ・フレームとをＵＥに送信することによって達成されうる。このＤＬ送信パターンは、インジケーションが、選択されたＤＬ  ＴＸパターンを使用する前に再シグナルあるいはブロードキャストされるサブ・フレームについてのみ効果的でありうる。あるいは、選択されたＤＬ  ＴＸパターンを使用するために、１または複数のサブ・フレームが割り当てられうる。そのような状態では、例えばＳＦＮ＋ＣＳ送信パターンが使用される割り当てられたサブ・フレームに関する情報が、セルによってＵＥへブロードキャストされる。
【００３７】
局面では、上述されたＤＬ  ＴＸパターンが、識別子を用いて識別されうる。オーバヘッドを減らすために、ＴＸパターン識別子と、指定されたサブ・フレーム番号のみがＵＥにブロードキャストされる。その後、ＵＥは、ＴＸパターンに関連付けられた正確な処理方法をメモリから抽出し、この方法を、指定されたサブ・フレームについて受信された送信を処理するために適用する。
【００３８】
図７および図８に示すように、方法は、サブ・フレームのＤＬ送信として割り当てられたＳＦＮ＋ＣＳ送信パターンのインジケーションを使用してブロードキャストするメカニズムに関連する。説明を単純にする目的のために、これら方法が示され、一連の動作として記載される一方、幾つかの動作は、特許請求の範囲で主張されたものにしたがって異なる順番で生じ、および／または、本明細書で示され記載されたものとは別の動作と同時に生じうるので、これら方法は、この動作の順番によって限定されないことが理解され認識されるべきである。例えば、当業者は、方法は、例えば状態図のような相互に関連した状態またはイベントのシリーズとして表現されることを理解し認識するだろう。さらに、例示された全ての動作が、特許請求された主題にしたがって方法を実施するように要求されている訳ではない。
【００３９】
図７に示すように、局面にしたがって、選択されたＤＬ  ＴＸパターンのインジケーションを、無線通信システムでブロードキャストすることを容易にする方法７００の例が例示されている。方法７００は、セル（例えば、エンハンスト・ノード基地局ｅＮｏｄｅ  Ｂ）、アクセス・ポイント（ＡＰ）、基地局、または同様のメカニズム）から、無線通信ネットワークの１または複数の端末デバイス（例えば、ユーザ機器ＵＥ、ＡＴ、または同様のメカニズム）へとインジケーションを送信することを容易にすることができる。この方法は、７０２で始まり、ダウンリンク送信のためにＳＦＮ送信を使用する時間であるかを判定する。局面では、セルは、ＳＦＮ送信が、エンハンスト・データ・レートでコンテンツを送信することを要求されているかを定期的に判定するか、あるいは、ＳＦＮ送信を用いることを開始する要求をシステムから受信する。局面では、データのＳＦＮ送信が生じる場合、システムから、ＳＦＮ送信とサブ・フレームの時間における場所を実行するために、インジケーションを受信する。ＳＦＮ送信が要求されていることが判定されると、方法は、ブロック７０４、７０６、および７０８を実行する。そうでない場合、ブロック７２０において、この方法は、例えば、図３に記載された第１のパターンのようなデフォルト送信パターンを使用し続ける。ブロック７０４では、セルが、１または複数の送信パターンからＳＦＮ送信パターンを決定する。各送信パターンは、基準信号（例えば、パイロット・データ）のために使用するために、および、ＳＦＮ送信スキームを用いてデータを送信するために、サブ・フレームのトーンとシンボルを示す。送信が選択されると、セルは、指定されたサブ・フレームのために選択されたパターンを割り当てる。システムに依存して、方法は、利用可能なＳＦＮ送信パターンの幾つかのタイプのリストから送信パターンの１つのＳＦＮを選択する。例えば、図５において上述したＳＦＮ＋ＣＳ送信パターン、あるいは、そのパターンの変形（例えば、周波数および／または時間に基づいて、密集したパターンまたは互い違いに配列したパイロット・トーン）。送信パターンを選択した後に、方法は、ブロック７０６に進む。７０６では、セルは、選択されたＤＬ送信パターン情報と、有効とされた指定されたサブ・フレームとを、セルがサービス提供する全てのＵＥへブロードキャストする。システムの要求に依存して、方法は、インジケーションを演繹的にブロードキャストし、全てのＵＥが、選択されたＤＬ送信パターンを使用する前にこのインジケーションを受信できるようにする。このインジケーションは、予め定めたＴＸパターン識別子であるか、あるいは、選択された送信パターンに関するより詳細な情報でありうる。ブロック７０８では、この方法は、指定されたサブ・フレームのために選択されたＤＬ送信パターンを用いて、データ（例えば、コンテンツ）を送信する。
【００４０】
図８に示すように、局面にしたがって、無線通信システムにおいて、選択されたＤＬ  ＴＸパターンのインジケーションを受信することを容易にする一例である方法８００が例示される。方法８００は、無線通信ネットワーク内のセル（例えば、エンハンスト・ノード基地局ｅＮｏｄｅ  Ｂ、アクセス・ポイント（ＡＰ）、基地局、または同様のメカニズム）からインジケーションを受信することを容易にすることができる。局面によれば、ブロック８０２では、方法は、指定されたサブ・フレームを処理するために指定されたＳＦＮ  ＴＸパターン（例えば、ＳＦＮ＋ＣＳ送信パターン）を使用するとのインジケーションを、順方向リンクで受信する。ブロック８０４では、方法は、指定されたサブ・フレームのために指定されたＳＦＮ  ＴＸパターンに基づいて、受信した送信の処理を開始する。
【００４１】
図９は、１または複数の局面にしたがって、通信ネットワークにフィードバックを提供することができる典型的なアクセス端末９００を示す。アクセス端末９００は、信号を受信し、受信した信号について一般的な動作（例えば、フィルタ、増幅、ダウンコンバート等）を実行する受信機９０２（例えば、アンテナ）を備える。特に、受信機９０２はまた、送信割当期間のうちの１または複数のブロックへ割り当てられたサービスを規定するサービス・スケジュールと、本明細書で記載したように、フィードバック情報を提供するために、ダウンリンク・リソースのブロックを、アップリンク・リソースのブロックに相関付けるスケジュールとを受信することができる。受信機９０２は、受信したシンボルを復調し、それらを評価のためにプロセッサ９０６へ提供する復調器９０４を含む。プロセッサ９０６は、受信機９０２によって受信された情報を分析すること、および／または、送信機９１６による送信のために情報を生成することに特化されたプロセッサでありうる。さらに、プロセッサ９０６は、アクセス端末９００のうちの１または複数の構成要素を制御するプロセッサ、および／または、受信機９０２によって受信された情報を分析し、送信機９１６による送信のために情報を生成し、アクセス端末９００のうちの１または複数の構成要素を制御するプロセッサでありうる。さらに、プロセッサ９００は、本明細書に記載されているように、受信機９０２によって受信されたアップリンク・リソースおよびダウンリンク・リソースの相関を解釈すること、受信されていないダウンリンク・ブロックを識別すること、または、例えばビットマップのように、そのような受信されていないブロックに適切なフィードバック・メッセージを生成することのための命令群であるか、あるいは、複数のアップリンク・リソースの適切なアップリンク・リソースを判定するハッシュ関数を分析することのための命令群を実行することができる。
【００４２】
アクセス端末９００はさらに、プロセッサ９０６と動作可能に接続されており、送信、受信等されるデータを格納することができるメモリ９０８を備えている。メモリ９０８は、ダウンリンク・リソース・スケジュールに関連する情報、前述を評価するためのプロトコル、送信の未受信部分を特定し、判読不能な送信を判定し、フィードバック・メッセージをアクセス・ポイントへ送信すること等を行うプロトコル等を格納することができる。
【００４３】
本明細書に記載のデータ・ストア（例えば、メモリ９０８）は、揮発性メモリまたは不揮発性メモリの何れかであるか、あるいは、揮発性メモリおよび不揮発性メモリの両方を含みうることが理解されるだろう。例示によって、限定ではなく、不揮発性メモリは、読取専用メモリ（ＲＯＭ）、プログラマブルＲＯＭ（ＰＲＯＭ）、ＥＰＲＯＭ（ＥＰＲＯＭ）、電子的に消去可能なＰＲＯＭ（ＥＥＰＲＯＭ）、あるいはフラッシュ・メモリを含むことができる。揮発性メモリは、外部キャッシュ・メモリとして動作するランダム・アクセス・メモリ（ＲＡＭ）を含むことができる。例示によって、限定ではなく、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、同期リンクＤＲＡＭ（ＳＬＤＲＡＭ）、およびダイレクト・ラムバスＲＡＭ（ＤＲＲＡＭ（登録商標））のような多くの形式で利用可能である。対象システムおよび方法のメモリ９０８は、限定される訳ではないが、これらおよびその他の適切なタイプのメモリを備えることが意図される。
【００４４】
受信機９０２はさらに、（例えば、ビットマップ応答で、複数のＮＡＣＫメッセージまたはＡＣＫメッセージを提供することを容易にするために）、ダウンリンク送信リソースのうちの１または複数のさらなるブロックと、アップリンク送信リソースのブロックとの間のスケジュールされた相関を受信する多重アンテナ９１０と動作可能なように接続されている。多重プロセッサ９０６は、単一のアップリンク・リソースにわたって、第１のダウンリンク・ブロックと、１または複数の追加のダウンリンク・ブロックのおのおのとが受信されたか、されなかったかを示すＡＣＫメッセージまたはＮＡＣＫメッセージを提供するフィードバック・メッセージ内にマルチ・デジット・ビットマップを含むことができる。さらに、計算プロセッサ９１２は、本明細書で記載されるように、ダウンリンク送信リソースのブロック、またはそれに関連するデータが受信されない場合、フィードバック確率関数を受信することができる。この関数は、フィードバック・メッセージが、アクセス端末９００によって提供される確率を制限する。具体的には、そのような確率関数は、複数のデバイスが、失われたデータを同時にレポートしている場合、干渉を低減するために使用することができる。
【００４５】
アクセス端末９００はさらに、変調器９１４と、信号を例えば基地局、アクセス・ポイント、別のアクセス端末、リモート・エージェント等に送信する送信機９１６とを備える。信号生成部９１０とインジケータ評価部９１２とは、プロセッサ９０６と別に示されているが、プロセッサ９０６または多くのプロセッサ（図示せず）の一部でありうることが理解されるべきである。
【００４６】
図１０は、ＬＴＥネットワークについて、失われた送信データに関連するフィードバックのプロビジョンを容易にするシステム１０００の例示である。システム１０００は、複数の受信アンテナ１００６を介して１または複数のモバイル・デバイス１００４から信号を受信する受信機１０１０と、送信アンテナ１００８を介して１または複数のモバイル・デバイス１００４へ送信する送信機１０２４とを備えた基地局１００２（例えば、アクセス・ポイント等）を備える。受信機１０１０は、受信アンテナ１００６から情報を受信することができ、さらに、受信されていないあるいは判読不能なデータ・パケットに関連するフィードバック・データを受信する信号受信部（図示せず）を備えうる。さらに、受信機１０１０は、受信信号を復調する復調器１０１２と動作可能に関連付けられている。復調されたシンボルは、アップリンク・リソースとダウンリンク・リソースとの相関付けに関連する情報を格納するメモリ１０１６に接続されたプロセッサ１０１４によって分析され、モバイル・デバイス１００４へ送信されるか、あるいはモバイル・デバイス１００４から受信されるデータのみならず、ネットワークからの動的および／または静的な相関付け、および／または、様々な動作および本明細書に記載された機能を実行することに関連するその他任意の情報を提供する。
【００４７】
プロセッサ１０１４はさらに、マルチキャスト・サービスまたはブロードキャスト・サービスについて、ダウンリンク送信リソースのブロックと、アップリンク送信リソースのブロックとの間の、割り当て期間中の相関付けをスケジュールする関連付けプロセッサ１０１８に接続される。加えて、関連付けプロセッサ１０１８はさらに、ダウンリンク・リソースのための、複数のフィードバック・メッセージの受信を可能にするために、アップリンク送信リソースのうちの１または複数の追加ブロックと、ダウンリンク送信リソースのブロックとの間の相関付けをスケジュールすることができる。その結果、ダウンリンク・リソースと関連するフィードバック・メッセージの相対数を決定することができる。更に、関連付けプロセッサ１０１８は、フィードバック・メッセージ内に含まれる単一のビットマップが、ダウンリンク送信リソースの複数のブロックについてＡＣＫ情報またはＮＡＣＫ情報を示すことができるように、マルチキャスト・サービスまたはブロードキャスト・サービスのために、アップリンク送信リソースと、ダウンリンク送信リソースの複数のブロック間の相関付けをスケジュールすることができる。
【００４８】
関連付けプロセッサ１０１８は、端末デバイスがフィードバック・メッセージを提供する可能性を制限する確率係数を生成する計算プロセッサ１０２０に接続されうる。この確率係数は、複数の端末デバイスからのフィードバック干渉を低減するために基地局１００２によって適用されうる。さらに、計算プロセッサ１０２０は、基地局１００２によって送信されるハッシュ関数を生成することができる。これは、複数の端末デバイスのおのおのに、フィードバック・メッセージを発行する際に使用する特定のアップリンク送信リソースを示すことができる。このようにハッシュ関数を示すことは、端末デバイスのおのおの、各端末アイデンティティのハッシュ、各端末デバイスによって利用されるサービスのアイデンティティ、ブロック特有情報、またはこれらの組み合わせに少なくとも部分的に基づきうる。
【００４９】
さらに、計算プロセッサ１０２０は、ダウンリンク送信リソースのブロックに関連する受信されたフィードバック・メッセージの数を判定するソート・プロセッサに接続されうる。例えば、ダウンリンク送信リソースのブロックが、（例えば、上述するように、関連付けプロセッサ１０１８によって）複数のアップリンク送信リソースに接続されている場合、ダウンリンク・リソースのために、２またはそれ以上のフィードバック・メッセージが、基地局１００２によって受信される。したがって、ソート・プロセッサ１０２１は、どのフィードバック・メッセージがダウンリンク・ブロックに対応し、そのダウンリンク・ブロックのために再送信優先度を示すかを特定することができる。さらに、ソート・プロセッサ１０２１は、ダウンリンク送信リソースの各ブロックに関連する受信されたフィードバック・メッセージの数に少なくとも部分的に基づいて、ダウンリンク送信リソースの複数のブロックのうちのどれを再送信するかを選択することができる。
【００５０】
図１１に示すように、ダウンリンクでは、アクセス・ポイント１１０５において、送信（ＴＸ）データ・プロセッサ１１１０が、トラフィック・データを受信し、フォーマットし、符号化し、インタリーブし、そして変調（またはシンボル・マップ）して、変調シンボル（「データ・シンボル」）を提供する。シンボル変調器１１１５は、データ・シンボルおよびパイロット・シンボルを受信および処理して、シンボルのストリームを提供する。シンボル変調器１１１５は、データ・シンボルおよびパイロット・シンボルを多重化し、それらを送信機ユニット（ＴＭＴＲ）１１２０に提供する。送信シンボルはそれぞれ、データ・シンボル、パイロット・シンボル、あるいは０の値の信号でありうる。パイロット・シンボルは、各シンボル期間において連続的に送られうる。パイロット・シンボルは、周波数分割多重化（ＦＤＭ）、直交周波数分割多重化（ＯＦＤＭ）、時分割多重化（ＴＤＭ）、周波数分割多重化（ＦＤＭ）、または符号分割多重化（ＣＤＭ）されうる。
【００５１】
ＴＭＴＲ１１２０は、シンボルのストリームを受信して、１または複数のアナログ信号に変換し、さらに、このアナログ信号を調整（例えば、増幅、フィルタ、および周波数アップコンバート）して、無線チャネルを介した送信に適切なダウンリンク信号を生成する。このダウンリンク信号はその後、アンテナ１１２５を介して端末へ送信される。端末１１３０では、アンテナ１１３５が、このダウンリンク信号を受信し、受信したダウンリンク信号を受信機ユニット（ＲＣＶＲ）１１４０に提供する。受信機ユニット１１４０は、この受信した信号を調整（例えば、フィルタ、増幅、および周波数ダウンコンバート）して、調整された信号をデジタル化して、サンプルを得る。シンボル復調器１１４５は、受信したパイロット・シンボルを復調し、チャネル評価のために、プロセッサ１１５０へ提供する。シンボル復調器１１４５はさらに、プロセッサ１１５０から、ダウンリンクのための周波数応答推定値を受け取り、受け取ったデータ・シンボルに対してデータ復調を実行して、（送信されたデータ・シンボルの推定値である）データ・シンボル推定値を取得し、このデータ・シンボル推定値をＲＸデータ・プロセッサ１１５５へ提供する。ＲＸデータ・プロセッサ１１５５は、このデータ・シンボル推定値を復調（例えば、シンボル・デマップ）し、逆インタリーブし、復号して、送信されたトラフィック・データを復元する。
【００５２】
シンボル復調器１１４５およびＲＸデータ・プロセッサ１１５５による処理は、アクセス・ポイント１１０５におけるシンボル変調器１１１５、ＴＸデータ・プロセッサ１１１０それぞれによる処理と相補的である。
【００５３】
アップリンクにおいては、ＴＸデータ・プロセッサ１１６０が、トラフィック・データを処理し、データ・シンボルを提供する。シンボル変調器１１６５は、このデータ・シンボルを受け取り、パイロット・シンボルと多重化して、変調を実行し、シンボルのストリームを提供する。その後、送信機ユニット１１７０が、このシンボルのストリームを受信して、処理し、アップリンク信号を生成する。アップリンク信号は、アンテナ１１３５によってアクセス・ポイント１１０５へ送信される。
【００５４】
アクセス・ポイント１１０５では、端末１１３０からのアップリンク信号がアンテナ１１２５によって受信され、受信機ユニット１１７５によって処理されて、サンプルが得られる。その後、シンボル復調器１１８０が、このサンプルを処理し、受信したパイロット・シンボルおよびデータ・シンボル推定値を、アップリンクのために提供する。ＲＸデータ・プロセッサ１１８５は、このデータ・シンボル推定値を処理して、端末１１３０によって送信されたトラフィック・データを復元する。プロセッサ１１９０は、アップリンクで送信しているアクティブな各端末のチャネル評価を実行する。複数の端末が、それぞれの割り当てられたパイロット・サブ帯域のセットにおいて、アップリンクで同時に送信することができる。パイロット・サブ帯域のセットは、インタレースされうる。
【００５５】
プロセッサ１１９０およびプロセッサ１１５０はそれぞれ、アクセス・ポイント１１０５および端末１１３０における動作を指示（例えば、制御、調整、管理等）する。プロセッサ１１９０およびプロセッサ１１５０それぞれは、プログラム・コードおよびデータを格納するメモリ・ユニット（図示せず）に関連付けられうる。プロセッサ１１９０およびプロセッサ１１５０はまた、アップリンクおよびダウンリンクそれぞれのために、周波数推定値およびインパルス応答推定値を導出する計算を実行することができる。
【００５６】
多元接続システム（例えば、ＦＤＭＡ、ＯＦＤＭＡ、ＣＤＭＡ、ＴＤＭＡ等）の場合、複数の端末がアップリンクで同時に送信することができる。そのようなシステムでは、パイロット・サブ帯域が、異なる端末で共有されうる。チャネル評価技術は、各端末のパイロット・サブ帯域が、（恐らく、帯域端を除いて）動作帯域全体に広がる場合に使用されうる。そのようなパイロット・サブ帯域構造は、各端末の周波数ダイバーシティを得るのに望ましいだろう。本明細書に記載の技術は、様々な手段によって実現されうる。例えば、これらの技術は、ハードウェア、ソフトウェア、あるいはこれらの組み合わせによって実現されうる。ハードウェアによって実現する場合、デジタル、アナログ、またはデジタルとアナログの両方であり、チャネル評価に使用される処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールド・プログラム可能なゲート・アレイ（ＦＰＧＡ）、プロセッサ、コントローラ、マイクロ・コントローラ、マイクロプロセッサ、本明細書に記載された機能を実行するように設計されたその他の電子ユニット、あるいはそれらの組み合わせ内で実現されうる。ソフトウェアを用いた場合、本明細書に記載の機能を実行するモジュール（例えば、手順、関数等）によって実現されうる。ソフトウェア・コードは、メモリ・ユニットに格納され、プロセッサ１１９０およびプロセッサ１１５０によって実行されうる。
【００５７】
本明細書に記載の実施形態は、ハードウェア、ソフトウェア、ファームウェア、ミドルウェア、マイクロコード、あるいはそれらの任意の組み合わせで実現されうる。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールド・プログラム可能なゲート・アレイ（ＦＰＧＡ）、プロセッサ、コントローラ、マイクロ・コントローラ、マイクロプロセッサ、本明細書に記載された機能を実行するように設計されたその他の電子ユニット、あるいはそれらの組み合わせ内で実現されうる。
【００５８】
実施形態が、ソフトウェア、ファームウェア、ミドルウェアあるいはマイクロコード、プログラム・コードあるいはコード・セグメントで実現される場合、それらは、例えば記憶素子のような機械読取可能媒体内に格納されうる。コード・セグメントは、手順、関数、サブプログラム、プログラム、ルーチン、サブルーチン、モジュール、ソフトウェア・パッケージ、クラス、または命令の任意の組み合わせ、データ構造、またはプログラム・ステートメントを表すことができる。コード・セグメントは、情報、データ、引数、パラメータ、あるいはメモリ・コンテンツを渡したり、受け取ったりすることによって、別のコード・セグメントまたはハードウェア回路に接続されうる。情報、引数、パラメータ、データ等は、メモリ共有、メッセージ引渡し、トークン引渡し、ネットワーク送信等を含む任意の適切な手段を用いて引き渡し、転送、または送信されうる。
【００５９】
ソフトウェアで実現する場合、本明細書に記載の技術は、本明細書に記載の機能を実行するモジュール（例えば、手順、関数等）を用いて実現されうる。ソフトウェア・コードは、メモリ・ユニットに格納され、プロセッサによって実行されうる。メモリ・ユニットはプロセッサ内に実装されるか、あるいはプロセッサの外部に実装される。プロセッサの外部に実装される場合、当該技術で周知の様々な手段によってプロセッサと通信可能に接続されうる。
【００６０】
図１２に示すように、無線通信においてフレキシブルな送信パターンを使用することを容易にするシステム１２００が例示される。システム１２００は、データのＳＦＮ送信が生じる場合に、サブ・フレームの時間における場所を判定するモジュール１２０２を含みうる。基準信号のための第１の送信パターンおよび第２の送信パターンを決定するモジュール１２０４と、ＳＦＮデータがサブ・フレームで送信されるかに基づいて、基準信号のために第１の送信パターンを使用するか、または第２の送信パターンを使用するかを選択するモジュール１２０６と、選択された送信パターンを使用する前に、選択された送信パターンに関する情報をブロードキャストするモジュール１２０８。モジュール１２０２〜１２０８は、プロセッサまたは任意の電子デバイスであり、メモリ・モジュール１２１０に接続されうる。
【００６１】
図１３に示すように、無線通信においてフレキシブルな送信パターンを使用することを容易にするシステム１３００が例示される。システム１３００は、データのＳＦＮ送信が生じる場合、サブ・フレームの時間における場所を判定するモジュール１３０２を含むことができる。基準信号のために、第１の送信パターンおよび第２の送信パターンを決定するモジュール１３０４と、選択された送信パターンを使用する前に、選択された送信パターンに関する情報をブロードキャストするモジュール１３０６。モジュール１３０２〜１３０６は、プロセッサまたは任意の電子デバイスであることができ、メモリ・モジュール１３０８に接続されうる。
【００６２】
図１４に示すように、無線通信においてフレキシブルな送信パターンを使用することを容易にするシステム１４００が例示される。システム１４００は、第１の送信パターンを使用するモジュール１４０２を含む。ここで、第１の送信パターンは、単一周波数ネットワーク（ＳＦＮ）送信スキームにしたがってデータのセットを送信するトーンを備える。第２の送信パターンを使用するモジュール１４０４。ここで、第２の送信パターンは、基準信号を送信するためのトーンを備える。選択された送信パターンを使用する前に、選択された送信パターンに関する情報をブロードキャストするモジュール１４０６。モジュール１４０２〜１４０６は、プロセッサあるいは任意の電子デバイスでありうり、メモリ・モジュール１４０８に接続されうる。
【００６３】
図１５に示すように、無線通信においてフレキシブルな送信パターンを使用することを容易にするシステム１５００が例示される。システム１５００は、データのＳＦＮ送信が発生する場合に、サブ・フレームの時間における場所を受信するモジュール１５０２を含みうる。システム１５００はさらに、第１の送信パターンに関する情報を受信するモジュール１５０４を含む。この情報は、単一周波数ネットワーク（ＳＦＮ）送信スキームにしたがって、データのセットを送信するために使用される少なくとも１つのリソース・ブロックの時間および周波数における場所情報を備えている。モジュール１５０２〜１５０４は、プロセッサあるいは任意の電子デバイスでありうり、メモリ・モジュール１５０６に接続されうる。
【００６４】
上述されたものは、１または複数の局面の一例を含んでいる。もちろん、それは、上述した局面を記載する目的の考えられる全ての構成要素および方法の組み合わせを記述することは可能ではない。しかしながら、当業者であれば、様々な局面の更なる多くの組み合わせや置き換えが可能であることを認識するであろう。したがって、記載された局面は、特許請求の範囲内にあるそのような全ての改造、修正、および変形を含むことが意図されている。さらに、用語「含む」が発明を実施するための形態または特許請求の範囲の何れかで使用されている限り、そのような用語は、用語「備える」が特許請求の範囲において遷移語として用いられているのと同様に、包括的であることが意図される。
以下に、本願出願の当初の特許請求の範囲に記載された発明を付記する。
[Ｃ１]
無線通信において実施可能な方法であって、
データの単一周波数ネットワーク（ＳＦＮ）送信が生じる場合に、サブ・フレームの時間における場所を判定することと、
基準信号のための第１の送信パターンと第２の送信パターンとを決定することとを備え、
前記第１および第２の送信パターンは、前記基準信号のために使用するサブ・フレームのシンボルおよびトーンを示し、
前記方法はさらに、
ＳＦＮデータが前記サブ・フレームで送信されるかに依存して、前記基準信号のために、前記第１の送信パターンを使用するか、前記第２の送信パターンを使用するかを選択することと、
前記選択された送信パターンを使用する前に、前記選択された送信パターンに関する情報をブロードキャストすることと
を備える方法。
[Ｃ２]
前記データのＳＦＮ送信が生じる場合におけるサブ・フレームの時間における場所と、前記基準信号のために使用する第１の送信パターンおよび第２の送信パターンに関する情報とを受信することをさらに備えるＣ１に記載の方法。
[Ｃ３]
前記基準信号の第１の送信パターンおよび第２の送信パターンを使用する前に、前記第１の送信パターンおよび第２の送信パターンに関する情報をブロードキャストすることをさらに備えるＣ１に記載の方法。
[Ｃ４]
前記ＳＦＮデータを送信するための第３の送信パターンを決定することをさらに備え、
前記第３の送信パターンは、ＳＦＮ送信スキームを用いてデータを送信するために割り当てられたサブ・フレーム内のトーンの場所を備えるＣ１に記載の方法。
[Ｃ５]
前記第３の送信パターンに関する情報をブロードキャストすることは、ＳＦＮ送信スキームを用いて、データのために使用されるサブ・フレームの１または複数のリソース・ブロックに関する時間および周波数における場所情報を送信することを備えるＣ４に記載の方法。
[Ｃ６]
前記サブ・フレームでＳＦＮデータが送信されないのであれば、前記基準信号のために第２の送信パターンを選択することをさらに備えるＣ１に記載の方法。
[Ｃ７]
前記第１の送信パターンおよび第２の送信パターンを決定することは、前記第１の送信パターンと第２の送信パターンとのためのパラメータを受信することを備えるＣ１に記載の方法。
[Ｃ８]
前記情報をブロードキャストすることは、ＳＦＮ送信のために使用されるサブ・フレームの時間および周波数におけるリソース・ブロックの場所情報と、前記ＳＦＮ送信のために割り当てられたサブ・フレームの時間における場所とを送信することを備えるＣ１に記載の方法。
[Ｃ９]
前記情報をブロードキャストすることは、前記ＳＦＮ送信のために割り当てられたサブ・フレームの時間における場所を送信することを備えるＣ４に記載の方法。
[Ｃ１０]
前記第１の送信パターンを決定することは、前記第１の送信パターンのパラメータを受信することを備えるＣ１に記載の方法。
[Ｃ１１]
前記第１の送信パターンを決定することは、送信パターンのセットから、前記第１の送信パターンを選択することを備えるＣ１に記載の方法。
[Ｃ１２]
前記第１の送信パターンを選択することは、サブ・フレームの全てのシンボルが、ＳＦＮ送信のデータ・トーンを含む場合に、前記第１の送信パターンを選択することを備えるＣ１１に記載の方法。
[Ｃ１３]
パイロットについて１または複数のトーンを有するパターンを選択することが、前記パイロットのトーンが隣接していないパターンを選択することを備えるＣ１１に記載の方法。
[Ｃ１４]
パイロットについて１または複数のトーンを有するパターンを選択することが、前記パイロットのトーンが隣接しているパターンを選択することを備えるＣ１１に記載の方法。
[Ｃ１５]
データのためのＳＦＮ送信を実行するとのインジケーションを受信することをさらに備えるＣ１に記載の方法。
[Ｃ１６]
前記第２の送信パターンを決定することは、前記サブ・フレームの各シンボルに関するＳＦＮ送信スキームにしたがって、データを送信するために割り当てられたトーンを有する第２の送信パターンを選択することを備えるＣ３に記載の方法。
[Ｃ１７]
無線通信において実施可能な方法であって、
データの単一周波数ネットワーク（ＳＦＮ）送信が生じる場合、サブ・フレームの時間における場所を判定することと、
基準信号を送信するための第１の送信パターンを決定することとを備え、
前記第１の送信パターンは、前記基準信号を送信するために割り当てられたサブ・フレーム内のシンボルの場所およびトーンの場所を備え、
前記方法はさらに、
前記第１の送信パターンを使用する前に、前記第１の送信パターンに関する情報をブロードキャストすることを備える方法。
[Ｃ１８]
前記データのＳＦＮ送信が生じる場合のサブ・フレームの時間における場所と、前記第１の送信パターンに関する情報とを受信することをさらに備えるＣ１７に記載の方法。
[Ｃ１９]
ＳＦＮデータを送信するためのＳＦＮ送信パターンを決定することをさらに備え、
前記ＳＦＮ送信パターンは、ＳＦＮ送信スキームを用いて、データを送信するために割り当てられたサブ・フレーム内のトーンの場所を備えるＣ１７に記載の方法。
[Ｃ２０]
前記ＳＦＮ送信パターンを使用する前に、前記ＳＦＮ送信パターンに関する情報をブロードキャストすることをさらに備えるＣ１９に記載の方法。
[Ｃ２１]
前記ＳＦＮ送信パターンに関する情報をブロードキャストすることは、前記ＳＦＮ送信データを送信するために使用されるサブ・フレームの１または複数のリソース・ブロックに関する時間および周波数における場所情報を送信することを備えるＣ２０に記載の方法。
[Ｃ２２]
無線通信において実施可能な方法であって、
単一周波数ネットワーク（ＳＦＮ）送信スキームにしたがって、データのセットを送信するためのトーンを備える第１の送信パターンを使用することと、
基準信号を送信するためのトーンを備える第２の送信パターンを使用することと、
前記第１の送信パターンおよび第２の送信パターンを使用する前に、前記第１の送信パターンおよび第２の送信パターンに関する情報をブロードキャストすることと
を備える方法。
[Ｃ２３]
データのＳＦＮ送信が生じる場合におけるサブ・フレームの時間における場所と、前記第１の送信パターンに関する情報とを受信することをさらに備えるＣ２２に記載の方法。
[Ｃ２４]
前記第１の送信パターンを使用するサブ・フレームを指定することをさらに備えるＣ２２に記載の方法。
[Ｃ２５]
前記第１の送信パターンを使用することは、１または複数の送信パターンから、第１の送信パターンを選択することを備えるＣ２４に記載の方法。
[Ｃ２６]
前記第１の送信パターンを使用することは、前記サブ・フレームの各シンボルに関し、ＳＦＮ送信スキームにしたがって、データを送信するために割り当てられたトーンを有する第１の送信パターンを選択することを備えるＣ２２に記載の方法。
[Ｃ２７]
無線通信において実施可能な方法であって、
データの単一周波数ネットワーク（ＳＦＮ）送信が生じる場合に、サブ・フレームの時間における場所を受信することと、
第１の送信パターンに関する情報を受信することとを備え、
前記情報は、
ＳＦＮ送信スキームにしたがって、データのセットを送信するために使用される少なくとも１つのリソース・ブロックの時間および周波数における場所情報を備える方法。
[Ｃ２８]
前記受信することは、基準信号を送信するために使用される少なくとも１つのリソース・ブロックの時間および周波数における場所情報を受信することを備えるＣ２７に記載の方法。
[Ｃ２９]
前記第１の送信パターンに基づいて前記リソース・ブロックを処理することをさらに備えるＣ２７に記載の方法。
[Ｃ３０]
前記処理することは、現在のサブ・フレームが、ＳＦＮ送信スキームを使用して送信されたデータを含むかを判定することを備えるＣ２９に記載の方法。
[Ｃ３１]
第１の送信パターンを使用するとのインジケーションを受信することをさらに備えるＣ２７に記載の方法。
[Ｃ３２]
無線通信において実施可能な方法であって、
データの単一周波数ネットワーク（ＳＦＮ）送信が生じる場合、サブ・フレームの時間における場所を受信することと、
第１の送信パターンに関する情報を受信することとを備え、
前記情報は、基準信号を送信するために使用される少なくとも１つのリソース・ブロックの時間および周波数における場所情報を備える方法。
[Ｃ３３]
第１の送信パターンを使用するとのインジケーションを受信することをさらに備えるＣ３２に記載の方法。
[Ｃ３４]
前記処理することは、現在のサブ・フレームが、ＳＦＮ送信スキームを用いて送信されたデータを含むかを判定することを備えるＣ３２に記載の方法。
[Ｃ３５]
第１の送信パターンを使用するとのインジケーションを受信することをさらに備えるＣ３４に記載の方法。
[Ｃ３６]
無線通信において実施可能な装置であって、
データの単一周波数ネットワーク（ＳＦＮ）送信が生じる場合に、サブ・フレームの時間における場所を判定する手段と、
基準信号のための第１の送信パターンと第２の送信パターンとを決定する手段とを備え、
前記第１および第２の送信パターンは、前記基準信号のために使用するサブ・フレームのシンボルおよびトーンを示し、
前記装置はさらに、
ＳＦＮデータが前記サブ・フレームで送信されるかに依存して、前記基準信号のために、前記第１の送信パターンを使用するか、前記第２の送信パターンを使用するかを選択する手段と、
前記選択された送信パターンを使用する前に、前記選択された送信パターンに関する情報をブロードキャストする手段と
を備える装置。
[Ｃ３７]
前記データのＳＦＮ送信が生じる場合におけるサブ・フレームの時間における場所と、前記基準信号のために使用する第１の送信パターンおよび第２の送信パターンに関する情報とを受信する手段をさらに備えるＣ３６に記載の装置。
[Ｃ３８]
前記基準信号の第１の送信パターンおよび第２の送信パターンを使用する前に、前記第１の送信パターンおよび第２の送信パターンに関する情報をブロードキャストする手段をさらに備えるＣ３６に記載の装置。
[Ｃ３９]
前記ＳＦＮデータを送信するための第３の送信パターンを決定する手段をさらに備え、
前記第３の送信パターンは、ＳＦＮ送信スキームを用いてデータを送信するために割り当てられたサブ・フレーム内のトーンの場所を備えるＣ３６に記載の装置。
[Ｃ４０]
前記第３の送信パターンに関する情報をブロードキャストする手段は、ＳＦＮ送信スキームを用いて、データのために使用されるサブ・フレームの１または複数のリソースに関する時間および周波数における場所情報を送信する手段を備えるＣ４に記載の装置。
[Ｃ４１]
前記サブ・フレームでＳＦＮデータが送信されないのであれば、前記基準信号のために第２の送信パターンを選択する手段をさらに備えるＣ３６に記載の装置。
[Ｃ４２]
前記第１の送信パターンおよび第２の送信パターンを決定する手段は、前記第１の送信パターンと第２の送信パターンとのためのパラメータを受信する手段を備えるＣ３６に記載の装置。
[Ｃ４３]
前記情報をブロードキャストする手段は、ＳＦＮ送信のために使用されるサブ・フレームの時間および周波数におけるリソース・ブロックの場所情報と、前記ＳＦＮ送信のために割り当てられたサブ・フレームの時間における場所とを送信する手段を備えるＣ３６に記載の装置。
[Ｃ４４]
前記情報をブロードキャストする手段は、前記ＳＦＮ送信のために割り当てられたサブ・フレームの時間における場所を送信する手段を備えるＣ３９に記載の装置。
[Ｃ４５]
前記第１の送信パターンを決定する手段は、前記第１の送信パターンのパラメータを受信する手段を備えるＣ３６に記載の装置。
[Ｃ４６]
前記第１の送信パターンを決定する手段は、送信パターンのセットから、前記第１の送信パターンを選択することを備えるＣ３６に記載の装置。
[Ｃ４７]
前記第１の送信パターンを選択する手段は、サブ・フレームの全てのシンボルが、ＳＦＮ送信のデータ・トーンを含む場合に、前記第１の送信パターンを選択する手段を備えるＣ４６に記載の装置。
[Ｃ４８]
パイロットについて１または複数のトーンを有するパターンを選択する手段が、前記パイロットのトーンが隣接していないパターンを選択する手段を備えるＣ４６に記載の装置。
[Ｃ４９]
パイロットについて１または複数のトーンを有するパターンを選択する手段が、前記パイロットのトーンが隣接しているパターンを選択する手段を備えるＣ４６に記載の装置。
[Ｃ５０]
データのためのＳＦＮ送信を実行するとのインジケーションを受信することをさらに備えるＣ３６に記載の装置。
[Ｃ５１]
前記第２の送信パターンを決定する手段は、前記サブ・フレームの各シンボルに関するＳＦＮ送信スキームにしたがって、データを送信するために割り当てられたトーンを有する第２の送信パターンを選択する手段を備えるＣ３８に記載の装置。
[Ｃ５２]
無線通信において実施可能な装置であって、
データの単一周波数ネットワーク（ＳＦＮ）送信が生じる場合、サブ・フレームの時間における場所を判定する手段と、
基準信号を送信するための第１の送信パターンを決定する手段とを備え、
前記第１の送信パターンは、前記基準信号を送信するために割り当てられたサブ・フレーム内のシンボルの場所およびトーンの場所を備え、
前記装置はさらに、前記第１の送信パターンを使用する前に、前記第１の送信パターンに関する情報をブロードキャストする手段を備える装置。
[Ｃ５３]
前記データのＳＦＮ送信が生じる場合のサブ・フレームの時間における場所と、前記第１の送信パターンに関する情報とを受信することをさらに備えるＣ５２に記載の装置。
[Ｃ５４]
ＳＦＮデータを送信するためのＳＦＮ送信パターンを決定する手段をさらに備え、
前記ＳＦＮ送信パターンは、ＳＦＮ送信スキームを用いて、データを送信するために割り当てられたサブ・フレーム内のトーンの場所を備えるＣ５２に記載の装置。
[Ｃ５５]
前記ＳＦＮ送信パターンを使用する前に、前記ＳＦＮ送信パターンに関する情報をブロードキャストすることをさらに備えるＣ５４に記載の装置。
[Ｃ５６]
前記ＳＦＮ送信パターンに関する情報をブロードキャストする手段は、前記ＳＦＮ送信データを送信するために使用されるサブ・フレームの１または複数のリソース・ブロックに関する時間および周波数における場所情報を送信する手段を備えるＣ５５に記載の装置。
[Ｃ５７]
無線通信において実施可能な装置であって、
単一周波数ネットワーク（ＳＦＮ）送信スキームにしたがって、データのセットを送信するためのトーンを備える第１の送信パターンを使用する手段と、
基準信号を送信するためのトーンを備える第２の送信パターンを使用する手段と、
前記第１の送信パターンおよび第２の送信パターンを使用する前に、前記第１の送信パターンおよび第２の送信パターンに関する情報をブロードキャストする手段と
備える装置。
[Ｃ５８]
データのＳＦＮ送信が生じる場合におけるサブ・フレームの時間における場所と、前記第１の送信パターンに関する情報とを受信することをさらに備えるＣ５７に記載の装置。
[Ｃ５９]
前記第１の送信パターンを使用するサブ・フレームを指定することをさらに備えるＣ５７に記載の装置。
[Ｃ６０]
前記第１の送信パターンを使用する手段は、１または複数の送信パターンから、第１の送信パターンを選択する手段を備えるＣ５９に記載の装置。
[Ｃ６１]
前記第１の送信パターンを使用する手段は、前記サブ・フレームの各シンボルに関し、ＳＦＮ送信スキームにしたがって、データを送信するために割り当てられたトーンを有する第１の送信パターンを選択する手段を備えるＣ５９に記載の装置。
[Ｃ６２]
無線通信において実施可能な装置であって、
データの単一周波数ネットワーク（ＳＦＮ）送信が生じる場合に、サブ・フレームの時間における場所を受信する手段と、
第１の送信パターンに関する情報を受信する手段を備え、
前記情報は、ＳＦＮ送信スキームにしたがって、データのセットを送信するために使用される少なくとも１つのリソース・ブロックの時間および周波数における場所情報を備える装置。
[Ｃ６３]
前記受信する手段は、基準信号を送信するために使用される少なくとも１つのリソース・ブロックの時間および周波数における場所情報を受信する手段を備えるＣ６２に記載の装置。
[Ｃ６４]
前記第１の送信パターンに基づいて前記リソース・ブロックを処理することをさらに備えるＣ６２に記載の装置。
[Ｃ６５]
前記処理する手段は、現在のサブ・フレームが、ＳＦＮ送信スキームを使用して送信されたデータを含むかを判定する手段を備えるＣ６４に記載の装置。
[Ｃ６６]
第１の送信パターンを使用するとのインジケーションを受信することをさらに備えるＣ６２に記載の装置。
[Ｃ６７]
無線通信において実施可能な装置であって、
データの単一周波数ネットワーク（ＳＦＮ）送信が生じる場合、サブ・フレームの時間における場所を受信する手段と、
第１の送信パターンに関する情報を受信する手段とを備え、
前記情報は、基準信号を送信するために使用される少なくとも１つのリソース・ブロックの時間および周波数における場所情報を備える装置。
[Ｃ６８]
第１の送信パターンを使用するとのインジケーションを受信することをさらに備えるＣ６７に記載の装置。
[Ｃ６９]
前記処理する手段は、現在のサブ・フレームが、ＳＦＮ送信スキームを用いて送信されたデータを含むかを判定する手段を備えるＣ６７に記載の装置。
[Ｃ７０]
第１の送信パターンを使用するとのインジケーションを受信することをさらに備えるＣ６９に記載の装置。
[Ｃ７１]
コンピュータ・プログラム製品であって、
データの単一周波数ネットワーク（ＳＦＮ）送信が生じる場合に、サブ・フレームの時間における場所を、少なくとも１つのコンピュータに対して判定させるコードと、
基準信号のための第１の送信パターンと第２の送信パターンとを、少なくとも１つのコンピュータに対して決定させるコードと
を備えたコンピュータ読取可能媒体を備え、
前記第１および第２の送信パターンは、前記基準信号のために使用するサブ・フレームのシンボルおよびトーンを示し、
前記コンピュータ読取可能媒体はさらに、
ＳＦＮデータが前記サブ・フレームで送信されるかに依存して、前記基準信号のために、前記第１の送信パターンを使用するか、前記第２の送信パターンを使用するかを、少なくとも１つのコンピュータに対して選択させるコードと、
前記選択された送信パターンを使用する前に、前記選択された送信パターンに関する情報を、少なくとも１つのコンピュータに対してブロードキャストさせるコードと
を備えるコンピュータ・プログラム製品。
[Ｃ７２]
コンピュータ・プログラム製品であって、
データの単一周波数ネットワーク（ＳＦＮ）送信が生じる場合、サブ・フレームの時間における場所を、少なくとも１つのコンピュータに対して判定させるコードと、
基準信号を送信するための第１の送信パターンを、少なくとも１つのコンピュータに対して決定させるコードと
を備えたコンピュータ読取可能媒体を備え、
前記第１の送信パターンは、前記基準信号を送信するために割り当てられたサブ・フレーム内のシンボルの場所およびトーンの場所を備え、
前記コンピュータ読取可能媒体はさらに、前記第１の送信パターンを使用する前に、前記第１の送信パターンに関する情報を、少なくとも１つのコンピュータに対してブロードキャストさせるコードを備えるコンピュータ・プログラム製品。
[Ｃ７３]
コンピュータ・プログラム製品であって、
データの単一周波数ネットワーク（ＳＦＮ）送信が生じる場合に、サブ・フレームの時間における場所を、少なくとも１つのコンピュータに対して受信させるコードと、
第１の送信パターンに関する情報を、少なくとも１つのコンピュータに対して受信させるコードと
を備えたコンピュータ読取可能媒体を備え、
前記情報は、ＳＦＮ送信スキームにしたがって、データのセットを送信するために使用される少なくとも１つのリソース・ブロックの時間および周波数における場所情報を備えるコンピュータ・プログラム製品。
[Ｃ７４]
無線通信において実施可能な装置であって、
データの単一周波数ネットワーク（ＳＦＮ）送信が生じる場合に、サブ・フレームの時間における場所を判定し、基準信号のための第１の送信パターンと第２の送信パターンとを決定するように構成された少なくとも１つのプロセッサを備え、
前記第１および第２の送信パターンは、前記基準信号のために使用するサブ・フレームのシンボルおよびトーンを示し、
前記少なくとも１つのプロセッサはさらに、ＳＦＮデータが前記サブ・フレームで送信されるかに依存して、前記基準信号のために、前記第１の送信パターンを使用するか、前記第２の送信パターンを使用するかを選択し、前記選択された送信パターンを使用する前に、前記選択された送信パターンに関する情報をブロードキャストするように構成された装置。
[Ｃ７５]
無線通信において実施可能な装置であって、
データの単一周波数ネットワーク（ＳＦＮ）送信が生じる場合、サブ・フレームの時間における場所を判定し、基準信号を送信するための第１の送信パターンを決定するように構成された少なくとも１つのプロセッサを備え、
前記第１の送信パターンは、前記基準信号を送信するために割り当てられたサブ・フレーム内のシンボルの場所およびトーンの場所を備え、
前記少なくとも１つのプロセッサはさらに、前記第１の送信パターンを使用する前に、前記第１の送信パターンに関する情報をブロードキャストするように構成された装置。
[Ｃ７６]
無線通信において実施可能な装置であって、
データの単一周波数ネットワーク（ＳＦＮ）送信が生じる場合に、サブ・フレームの時間における場所を受信し、第１の送信パターンに関する情報を受信するように構成された少なくとも１つのプロセッサを備え、
前記情報は、ＳＦＮ送信スキームにしたがって、データのセットを送信するために使用される少なくとも１つのリソース・ブロックの時間および周波数における場所情報を備える装置。
[Ｃ７７]
無線通信において実施可能な方法であって、
データの単一周波数ネットワーク（ＳＦＮ）送信が生じる場合に、サブ・フレームの時間における場所を判定することと、
基準信号を送信するための第１の送信パターンを決定することとを備え、
前記第１の送信パターンは、前記基準信号を送信するため、およびヌル・トーンのために割り当てられたサブ・フレーム内のシンボルの場所およびトーンの場所を備え、
前記方法はさらに、前記第１の送信パターンを使用する前に、前記第１の送信パターンに関する情報をブロードキャストすることを備えた方法。
【図１】
0005415567.tif 000002
【図２】
0005415567.tif 000003
【図３】
0005415567.tif 000004
【図４】
0005415567.tif 000005
【図５】
0005415567.tif 000006
【図６】
0005415567.tif 000007
【図７】
0005415567.tif 000008
【図８】
0005415567.tif 000009
【図９】
0005415567.tif 000010
【図１０】
0005415567.tif 000011
【図１１】
0005415567.tif 000012
【図１２】
0005415567.tif 000013
【図１３】
0005415567.tif 000014
【図１４】
0005415567.tif 000015
【図１５】
0005415567.tif 000016